(57)【特許請求の範囲】
【請求項１】
折線を介して連接する第１、第２、第３の３枚の表紙片からなり、第３表紙片が内側に折り込まれる三つ折り表紙において、第１表紙片の端部を複数枚の本文が３６０°開閉可能に綴じ込みし、第３表紙片に両眼の間隔をおいて一対のレンズを装着し、前記三つ折り表紙を前記折線で表裏両方向にそれぞれコの字状に折り曲げて、第１表紙片と第３表紙片の表面同士が、また裏面同士が所定の間隔を保持して平行に対向する状態とし、同時に前記本文を第１表紙片の表面側に、また裏面側に折り返して第３表紙片と平行に対向する状態とし、前記本文をめくることにより該本文表裏の全ての頁に設けられた立体画像を前記レンズを透して立体視できることを特徴とする立体視可能な冊子あるいはアルバム。
【請求項２】
折線を介して連接する第１、第２、第３、第４の４枚の表紙片が巻き折りあるいは観音折りされる表紙において、第４表紙片に両眼の間隔をおいて一対のレンズを装着し、第３表紙片には第４表紙片と折り畳まれて前記レンズと対向する位置に打ち抜き孔を設け、第１、第２表紙片間に複数枚の本文を中綴または無線綴して綴じ込みし、第１表紙片と第３表紙片とを所定の間隔を保持して平行に対向させた状態とさらに第２表紙片に折り畳まれた第１表紙片と第４表紙片とを所定の間隔を保持して平行に対向させた状態で前記本文をめくることによって該本文表裏の全ての頁に設けられた立体画像を前記レンズを透して立体視できることを特徴とする立体視可能な冊子あるいはアルバム。
【請求項３】
本文表裏面には、ポリエチレンテレフタレートフィルムによるポケットが形成されていて立体画像が挿入可能にされていることを特徴とする請求項１または請求項２記載の立体視可能な冊子あるいはアルバム。
【発明の詳細な説明】
【０００１】
【産業上の利用分野】
本発明は、左右両眼の視差を利用して立体像を再現する機能を有する立体画像を設けた印刷冊子あるいは写真アルバムに関する。
【０００２】
【従来の技術】
２個の凸レンズを利用したブルースター、ホルメス立体視可能な装置は視差の異なる２枚のスライド写真（透明陽画）を透過光で、あるいは２枚の印画を反射光で２枚のレンズを透して両眼で同時に見ることによって立体像を再現しようとするもので古くから知られている。
写真はスライド用マウントやカード状に加工されて立体視可能な装置に挿入して用いる場合が多いが、アルバムあるいは印刷冊子に立体視可能な装置を取り付けた提案もなされている。
実開昭５３−１４０４５５では、アルバムを兼ねた立体写真ビュアーが提案されている。これは６×６ｃｍの印画を２枚横に並べ、反射光によって照射し、二つのレンズを透して立体視を可能としたものであり、印画はアルバムにファイルされいる。
実開昭６２−１１４７６６号では、本の形状になった立体画像帳に立体視装置が取り付けられたものが提案されている。すなわち一対のレンズを保有するカバーの一部が９０°折れ曲がってポップアップして、もう一枚のカバー面に置かれた本と平行に対向し、その状態で本の頁をめくるようにしたものである。
【０００３】
【発明が解決しようとする課題】
しかるにこれまでの立体視を可能とする冊子あるいはアルバムでは、それらの見開き頁の片面に置かれた写真あるいは印刷画像しか立体視することはできず、多くの立体画像を盛り込もうとするとアルバムあるいは冊子は分厚くなり易く、携帯、保存に不便であるという問題があった。またアルバムあるいは冊子が厚くなることは、立体画像とレンズまでの最適距離を略一定に保つことが難しくなり、立体視効果に悪影響を及ぼす結果となる。
さらに、収容枚数が少ないため立体画像一枚あたりのコストも高くなり割高なアルバムあるいは冊子となってしまうという問題もある。
立体視用の一対の凸レンズをアルバムあるいは冊子から切り離し、別に添付するようにすれば以上の問題は解決するが、見る方法や条件に個人差が生じ、立体視の最適条件の設定が直ぐできなかったりする不安定な要因が多くなり、また、レンズ部が紛失し易いという問題がある。本発明は、かかる問題を解決し、冊子あるいはアルバムの全頁に設けられた立体画像を付属している専用レンズを用いて、最適条件で直ちに立体視可能となる冊子あるいはアルバムを経済コストで提供することを目的とする。
【０００４】
【課題を解決するための手段】
前記課題を解決するためになされた本発明の要旨は次の通りである。
（１）折線を介して連接する第１、第２、第３の３枚の表紙片からなり、第３表紙片が内側に折り込まれる三つ折り表紙において、第１表紙片の端部を複数枚の本文が３６０°開閉可能に綴じ込みし、第３表紙片に両眼の間隔をおいて一対のレンズを装着し、前記三つ折り表紙を前記折線で表裏両方向にそれぞれコの字状に折り曲げて、第１表紙片と第３表紙片の表面同士が、また裏面同士が所定の間隔を保持して平行に対向する状態とし、同時に前記本文を第１表紙片の表面側に、また裏面側に折り返して第３表紙片と平行に対向する状態とし、前記本文をめくることにより該本文表裏の全ての頁に設けられた立体画像を前記レンズを透して立体視できること。
（２）折線を介して連接する第１、第２、第３、第４の４枚の表紙片が巻き折りあるいは観音折りされる表紙において、第４表紙片に両眼の間隔をおいて一対のレンズを装着し、第３表紙片には第４表紙片と折り畳まれて前記レンズと対向する位置に打ち抜き孔を設け、第１、第２表紙片間に複数枚の本文を中綴または無線綴して綴じ込みし、第１表紙片と第３表紙片とを所定の間隔を保持して平行に対向させた状態とさらに第２表紙片に折り畳まれた第１表紙片と第４表紙片とを所定の間隔を保持して平行に対向させた状態で前記本文をめくることによって該本文表裏の全ての頁に設けられた立体画像を前記レンズを透して立体視できること。
（３）本文表裏面には、ポリエチレンテレフタレートフィルムによるポケットが形成されていて立体画像が挿入可能にされていること。
【０００５】
【作用】
本発明によれば、冊子あるいはアルバムの一部として取り付けられたレンズを冊子あるいはアルバムの全頁と所定の間隔を保持して平行に対向できるようにしたことによって、全頁に収録された立体画像を立体視することができる。
【０００６】
【実施例】
本発明を図面等によりさらに詳細に説明する。
図１（ａ）、（ｂ）はそれぞれ立体視可能な冊子あるいはアルバムの三つ折り表紙を使用する場合の平面図と側面図である。
本発明に使用する三つ折り表紙は第１表紙片１、第２表紙片２、第３表紙片３（以下表紙片１、表紙片２、表紙片３とする。）からなりそれぞれ折線１１、１２を介して連接している。
また、図１（ａ）の平面図において、折線１１を２本線とし、その間が背表紙を形成するようにしてもよい。
表紙片３には一対の凸レンズ７が略両眼の間隔で貼着されている。レンズはアクリル樹脂等を成形したもので、その周辺にもうけられた鍔（つば）によって打ち抜かれた表紙基材の孔の周辺で接着されている。
表紙片１の端部は綴部６となっていて複数枚の冊子あるいはアルバム本文５がリング状金具で綴じ込まれスパイラル製本の形態となっている。従って本文５の冊子用紙あるいはアルバム基材は表紙片１との間で３６０°の開閉が可能であるため、綴じた状態のまま表紙片１の表面あるいは裏面に本文５を密着させることができる。
また、本文見開き頁を構成する一方の側の頁９と他方の側の頁９’との間でも３６０°の開閉が可能である。
綴部６は前記のリング状の金具綴に限定されるものではなく、３６０°開閉可能なものであればどのような方法を採用してもよい。
図１（ｂ）は図１（ａ）におけるａ−ａ’断面を示すものである。
【０００７】
次いで以上の構成からなる立体視可能な冊子あるいはアルバムの組立と使用方法について図３によって説明する。
立体視可能な冊子あるいはアルバムは普段図３（ａ）で示すように表紙が三つ折りされた状態にある。これをまず図３（ｂ）の状態に起こすと、レンズが貼着されている表紙片３は冊子あるいはアルバムの本文見開き頁の一方の側の頁９とレンズの焦点距離を隔てて平行に対向する。この状態を保ちながら冊子あるいはアルバムを図３（ｃ）で示すようにめくっていくと本文見開き頁の一方の側の頁９に設けられた立体画像Ａ，Ｂ−−−−Ｘを次々にレンズを透して両眼で見ることができる。最後の立体画像Ｘを見終わったら、最終頁をめくり、図３（ｄ）の下の矢印が示す方向に、表紙片１と表紙片３を折り返し、天地を逆転させて、今度はそれぞれの表紙の表面同士が平行に対向するようにする。この時図３（ｅ）で示すように本文見開き状態でのもう一方の側の頁９’がレンズが貼着されている表紙片３と平行になり、この状態を保ちながら冊子あるいはアルバムをめくって行くと立体画像Ａ’，Ｂ’−−−Ｘ’を次々に立体視することができる。最後に、表紙片１、２を図３（ｇ）で示すような矢印方向に、折り返して三つ折りすると最初の図３（ａ）の状態に折り畳むことができる。なお、以上説明した組立、使用順序は逆回りであってもよい。
【０００８】
次に立体視可能な冊子あるいはアルバムの他の発明に付いて説明する。
図２（ａ）、（ｂ）は表紙片（１〜４）が折線１３〜１５を介して連接されてなり、両観音折りあるいは巻き折りを可能としたもので、表紙片４には一対の凸レンズ７が貼着され、表紙片３には折線１５に対してレンズに対称となるよう打ち抜き孔８が設けられ、折線１３上の綴部６で冊子あるいはアルバムの本文５が見開きの状態で中綴されている。この場合の見開き角度は１８０°あれば充分であるので、綴の形態は一般に冊子に使用される平綴、無線綴であってもよい。
冊子あるいはアルバムの本文５の見開き頁の一方の側の頁９には立体画像Ａ，Ｂ−−Ｘが、他方の側の頁９’には別の立体画像Ａ’，Ｂ’−−−Ｘ’が印刷あるいは写真の形で設けられている。
また、本文５が厚くなる場合に、折線１４を２本とし、その間が背表紙になるようにしてもよい。
図２（ｂ）は図２（ａ）のａ−ａ’断面を示すものである。
【０００９】
以上の構成からなる立体視可能な冊子あるいはアルバムの組立と使用方法について図４によって説明する。
このタイプの立体視可能な冊子あるいはアルバムは普段図４（ａ）で示すように表紙が巻き折り状態で折り込まれている。
これをまず図４（ｂ）の状態に起こすと、レンズが貼着されている表紙片４は表紙片３に折り畳まれた状態で冊子あるいはアルバム本文５の立体画像Ａ面とレンズの焦点距離を隔てて平行に対向する。この状態を保ちながら冊子あるいはアルバムの本文５を図４（ｃ）の矢印の方向にめくって行くと本文見開き頁の一方の側の頁９の立体画像をＡ，Ｂ−−−−Ｘと次々に打ち抜き孔８とレンズ７（図示せず）を透して両眼で見ることができる。図４（ｄ）の状態で最後の頁の立体画像Ｘを見終わったら、その頁をめくり、図４（ｅ）に示すように今度は表紙片２と表紙片４とが対向するようにセットし直すと、本文見開き頁のもう一方の側の頁９’の最初の立体画像Ａ’が現れ、この状態を保ちながら冊子あるいはアルバムを図４（ｆ）のようにめくって行くとＡ’，Ｂ’−−−Ｘ’と次々に立体視することができる。最後に、表紙片２に対し表紙片３、４を、さらに表紙片１を折り畳んで最初の図４（ａ）の状態に戻すことができる。
なお、以上説明した組立、使用順序は逆回りであってもよい。また図４は立体像を水平と垂直と両方向に見るように描かれているが、見る方向の限定は別にない。
【００１０】
本発明に使用する表紙基材には一般に耐折強度の高い板紙を使用し、罫線を表紙の表面から押圧して折線とすることが経済的に好ましい。なお、折線は前述のように両方向に折り曲げられるのであらかじめくせ折りしておくことが望ましい。印刷適性がありかつ耐折強度の高い板紙としてはアイボリー系が好ましい。
さらに高い耐折強度を求める場合はプラスチックフィルムを両面からラミネートするか、折線部には板紙を使用せず織布、合成皮革、塩化ビニルシート等を使用して襠（まち）を形成するようにしてもよい。
また、綴部６における本文５の開閉角度を３６０°まで可能とするには、金属あるいはプラスチックによるリング綴が好適である。
【００１１】
（実施例）
三つ折り方式の立体視可能な冊子あるいはアルバムを図５で示す寸法で作成した。表紙片１と表紙片２との間の折線は２本とし、第３表紙片の二つのレンズと略正三角形をつくる位置に三角形の打ち抜き孔１６を設け、この部分が鼻にかかるようにして冊子あるいはアルバム全体を固定して立体視し易くしている。
焦点距離が１０５ｍｍのレンズを、アクリル系強接着剤で打ち抜き孔に接着させた。
表紙基材には特板系のハイパール（三菱製紙（株）製）２５９．５ｇ／ｍ2 を使用した。
また、３６頁からなる冊子用本文にはウルトラＳＡ金藤（新王子製紙（株）製）１５６．６ｇ／ｍ2 を使用し、３Ｄカメラで撮影したカラーフィルムを原稿として６００線／インチの高精細印刷を施した。以上の印刷物を図５の寸法に断裁、丁合して、第１表紙片と同時に綴孔の打ち抜き加工を行い最後に金属によるリング綴じを行った。
さらに、台紙としてトップコート（新王子製紙（株）製）１０４．７ｇ／ｍ2 を使用し、この両面にポリエチレンテレフタレートフィルム（東洋紡（株）製）１２μｍを貼り込んでポケットを形成してアルバムとし、各ポケットの中に立体写真を挿入した。
以上の方法で作成した立体視可能な冊子あるいはアルバムは全ての頁の立体画像を極めて容易に、個人差がなく優れた立体感をもって見ることができ、冊子あるいはアルバムを折り畳んだ状態は極めてコンパクトな体裁のよいものとなった。
【００１２】
本発明による立体視可能な冊子あるいはアルバムは上述した実施例に限定されることなく、本発明の要旨を逸脱しない範囲内で種々の変形が可能である。
たとえば、冊子あるいはアルバムの一頁に必ずしも一枚の立体画像を設ける必要はなく、たとえば上下二段に設けるようにしてもよい。またアルバムの台紙を全く使用しないで挿入用の透明フィルムからなる袋体を複数枚重ねたものとなし、その端部、あるいはセンターを表紙と一体に加熱圧着させて綴部を形成してプラスチック袋だけからなるアルバムとしてもよい。
【００１３】
【発明の効果】
本発明によれば、冊子あるいはアルバムの一部として取り付けられたレンズを冊子あるいはアルバムの全頁と所定の間隔を保持して平行に対向できるようにしたことによって、ユーザーは直ちに立体視のための最適条件で容易に立体視ができ、立体画像を収録した冊子あるいはアルバムを薄くコンパクトにまとめる事が出来、書店、ＤＰ店、家庭において、また流通過程において収納スペースを削減することができ、しかも立体画像１枚あたりの経済コストを低減することができる。
【図面の簡単な説明】
【図１】三つ折り表紙を使用する立体視可能な冊子あるいはアルバムの平面、側面図。
【図２】両観音あるいは巻き折り表紙を使用する場合の立体視可能な冊子あるいはアルバム平面、側面図。
【図３】三つ折り表紙を使用する立体視可能な冊子あるいはアルバムの組立、使用説明図。
【図４】両観音あるいは巻き折り表紙を使用する場合の立体視可能な冊子あるいはアルバムの組立、使用説明図。
【図５】実施例における平面図と各部寸法
【符号の説明】
１  第１表紙片
２  第２表紙片
３  第３表紙片
４  第４表紙片
５  冊子あるいはアルバム本文
６  綴部
７  レンズ
８  打ち抜き孔
９  本文見開き頁の一方の側の頁
９’本文見開き頁の他方の側の頁
１１〜１５  折線
１６  打ち抜き孔
Ａ  〜Ｘ  本文見開き頁の一方の側の頁に設けられる立体画像
Ａ’〜Ｘ’本文見開き頁の他方の側の頁に設けられる立体画像
【図１】
0003642807.tif 000002
【図２】
0003642807.tif 000003
【図３】
0003642807.tif 000004
【図４】
0003642807.tif 000005
【図５】
0003642807.tif 000006